(57)【特許請求の範囲】
【請求項１】
建物の外壁に設けられる開口部を屋外側から覆う防犯スクリーン装置であって、
前記開口部に対向して設けられる平板状の面材と、
該面材と前記開口部の間に介在して当該面材を前記開口部前方に保持する筒状の枠体と、
を備え、
該枠体は、前記面材の裏面の周縁部に面接触する裏当て部と、
該裏当て部から前記面材の厚さ相当の高さを立ち上がって前記面材の小口部と僅かな隙間を有して対向又は前記小口部に当接する立上り部と、該立上り部から前記面材の表面に向けて前記面材の厚さ相当の突出量を有する鍔部と、からなる筋状のフィンと、を備えており、
前記面材は、前記フィンに周囲を包囲された状態で、表面側から締結部材によって前記裏当て部に固着されていることを特徴とする防犯スクリーン装置。
【請求項２】
前記開口部には、網戸が設けられることなく、開放自在な窓障子が設けられており、前記面材は、１．５ｍｍ〜２ｍｍ程度の円形またはそれに匹敵する多角形が多数穿たれた平板状のパンチングメタルにより形成されていることを特徴とする請求項１に記載の防犯スクリーン装置。
【請求項３】
前記フィンは、前記面材の厚さ相当の高さを有する立上り部と、該立上り部から前記面材の表面に向けて突出するフランジ部を備え、該フランジ部が前記裏当て部に対向した状態で延在することで前記立上り部を底部とする深溝部が形成され、該深溝部に前記面材の周縁部を差し入れ、当該フランジ部と裏当て部とを締結部材により締結して前記面材の周縁部を裏当て部に固着することを特徴とする請求項１又は請求項２に記載の防犯スクリーン装置。
【請求項４】
前記枠体は、外壁の枠体取り付け面にパッキン部材を介して密着していることを特徴とする請求項１乃至請求項３のいずれかに記載の防犯スクリーン装置。
【請求項５】
前記枠体の端部に、隣接する枠体との干渉を回避する切断面が形成されていることを特徴とする請求項１から４のいずれか一項に記載の防犯スクリーン装置。
【発明の詳細な説明】
【技術分野】
【０００１】
本発明は、防犯スクリーン装置に関する。さらに詳述すると、本発明は、建物の外壁に設けられる防犯スクリーン装置の構造の改良に関する。
【背景技術】
【０００２】
従来、泥棒などの侵入防止といった防犯を目的として、建物外壁に形成される窓等を屋外側から面格子によって覆うことがなされている（例えば特許文献１，２参照）。しかし、従来の面格子には、体が侵入できない設計になっているものの格子間隔が広く、また、面格子自体が外壁や開口部からある程度離間して取り付けられるものがあり、この場合、当該面格子と窓の間には、上下左右から手指、さらにはバール、ドライバー、ペンチ等といった各種ツールを窓にアクセスできるだけの隙間があることがある。仮に、このような面格子が設けられている当該窓が開錠、開放状態にある場合、その隙間から、前述のツールを挿入されて他の開口を開錠されたり、危険物を投入されたりする心配がある。このように、従来の面格子は、防犯といっても、窓が施錠されていることを前提としているので、施錠忘れをしたとき前記の理由によって防犯性能は著しく劣るものとなっている。
【０００３】
かかる問題を解決すべく、特許文献３には、建物の開口部にパンチングメタルをそのまま嵌めこんだ構成が開示されている。当該構成においては、パンチングメタルを開口部と同じ大きさに形成して当該開口部にはめ込むと共に、当該パンチングメタルの周縁部にＬ字状のアングルを設け、当該アングル部材によってパンチングメタルを開口部の枠体に取り付ける構成が開示されている。
【先行技術文献】
【特許文献】
【０００４】
【特許文献１】特開２００６−３３６４３８号公報
【特許文献２】特開２００６−３７４５１号公報
【特許文献３】特開２００３−１４８０６０号公報
【発明の概要】
【発明が解決しようとする課題】
【０００５】
しかしながら、当該構成の面格子においては、パンチングメタルを開口部の大きさと同じ大きさに形成する必要を生じ、複数の大きさを有する開口部に対応し難いのみならず、パンチングメタルの大きさを極めて正確に形成しなければ開口部とパンチングメタルの間に隙間が生じることがある。このように隙間が生じてしまうと、当該隙間にドライバー等を差し入れてパンチングメタルを破壊し、開口部がこじ開けられるおそれがある点、あるいはそのような可能性を露見している点で、防犯機能や迷惑行為抑止力が十分でない場合がある。また、たとえパンチングメタルを正確な大きさに形成する場合でも、従来技術のように当該パンチングメタルをアングル部材により留めつける構成であると、当該パンチングメタルと開口部の隙間にドライバー等を差し入れることによって、当該ドライバー等の先端部をアングルと開口部の枠の間に差し入れることができ、当該箇所を支点として梃子（てこ）の原理を効かせることができる場合があり、やはりパンチングメタルの破壊につながるおそれがある。
【０００６】
そこで、本発明は、ドライバー等のツールの差し入れを可及的回避して当該ツールによる破壊等の迷惑行為を抑制できる、或いは、当該ツールによる破壊作業を極力長時間化することができ、且つ、当該作業の困難性を視認することができる防犯スクリーン装置を提供することを目的とする。
【課題を解決するための手段】
【０００７】
（１）上記課題を解決すべく、本発明は、
建物の外壁に設けられる開口部を屋外側から覆う防犯スクリーン装置であって、
前記開口部に対向して設けられる面材と、
該面材と前記開口部の間に介在して当該面材を前記開口部前方に保持する枠体と、
を備え、
該枠体は、前記面材の裏面の周縁部に面接触する裏当て部と、該裏当て部から前記面材の厚さ相当の高さを有して立ち上がって前記面材の小口部に僅かな隙間を有して対向又は当接する筋状のフィンとを備え、
前記面材は、前記フィンに周囲を包囲された状態で前記裏当て部に固着されている
ことを特徴としている。
【０００８】
これによれば、面材の周縁部が枠体の裏当て部に固着されているので、他者によるドライバー等のツールの差し入れ、破壊といった迷惑行為を可及的回避することができる。また、当該枠体には、面材の厚さ相当の高さを有する筋状のフィンが設けられ、枠体に面材を取り付けることで当該面材はフィンで包囲されることとなり、これによって、枠体の裏当て部と面材との継ぎ目（隙間）はフィンによりふさがれ、当該継ぎ目へのツールの挿入が防止されることとなる。また、当該フィンと面材との間の継ぎ目（隙間）が顕在化することとなるが、当該継ぎ目の深さは実質上面材の厚さ程度であり、当該フィンの基端部は裏当て部に連結されているので、ツールの先端部の端縁部を僅かに差し入れることができたとしても、それ以上のツールの差し入れは裏当て部により防止されることとなる。このため、当該継ぎ目が顕在化するといえども、当該継ぎ目にツールを深く差し入れることはできず、これによって、充分な梃子の原理を効かせるための支点（及び作用点）を確保することができず、ツールによるこじ開けを防止することができる。また、このように梃子の原理を充分に効かせることができないので、こじ開けるための時間も長期に亘るものとなる。
【０００９】
（２）前記面材は、平板状のパンチングメタルにより形成されていることが好ましい。
【００１０】
パンチングメタルにより形成された面材（例えば多孔質板）は、その開口孔は一般には極小であることから防犯性に優れる。また、当該面材は居住者等からの視界や通気性を確保しやすい。
【００１１】
（３）防犯スクリーン装置において、前記フィンは、前記面材の厚さ相当の高さを有する立上り部と、該立上り部から前記面材の表面に向けて突出するフランジ部を備え、該フランジ部が前記裏当て部に対向した状態で延在することで前記立上り部を底部とする深溝部が形成され、該深溝部に前記面材の周縁部を差し入れ、当該フランジ部と裏当て部とを締結部材により締結して前記面材の周縁部を裏当て部に固着することが好ましい。
【００１２】
このようなフィンを備えた枠体によれば、当該枠体と面材の周縁部との間に隙間ができ難く、防犯性のさらなる向上を図ることが可能である。また、パッキンなどの充填材を要しない納めとすることもできる。
【００１３】
（４）防犯スクリーン装置において、前記フィンは、前記面材の厚さ相当の高さを有する立上り部と、該立上り部から前記面材の表面に向けて僅かに突出する鍔部を備え、該鍔部と前記裏当て部との間に前記立上り部を底部とする浅溝部が形成され、該浅溝部に前記面材の周縁部を差し入れて該面材を保持していることも好ましい。
【００１４】
このように比較的小さなフィンを採用することで、防犯性を確保しつつ、面材の平面性が強調された意匠を構築することが可能となる。
【００１５】
（５）防犯スクリーン装置において、前記枠体は、外壁の枠体取り付け面にパッキン部材を介して密着していることが好ましい。
【００１６】
一般的に、枠体の壁面への取り付け面には多少なりとも不陸（ふりく）があるのに対し、本発明によれば、弾力性があるパッキン部材を当該取り付け面に介することで密着度を向上させることができる。
【００１７】
（６）防犯スクリーン装置において、前記枠体の端部に、隣接する枠体との干渉を回避する切断面が形成されていることが好ましい。これによれば、隣接する枠体どうしの重なりを排除して面一にするなどし、隙間が生じるのを回避することが可能となる。
【発明の効果】
【００１８】
本発明によれば、ドライバー等のツールの差し入れを可及的回避して当該ツールによる破壊等の迷惑行為を抑制でき、また、当該ツールによる破壊作業を極力長時間化することができ、且つ、当該作業の困難性を視認することができる。
【図面の簡単な説明】
【００１９】
【図１】本発明の一実施形態に係る防犯スクリーン装置等の側面図である。
【図２】防犯スクリーン装置１の平面図である。
【図３】防犯スクリーン装置を構成する枠体等の一例を示す図である。
【図４】隣接する枠体の形状例を示す図である。
【図５】本発明の第２の実施形態を示す枠体等の図である。
【図６】本発明の第２の実施形態を示す防犯スクリーン装置の斜視図である。
【図７】本発明の第３の実施形態を示す枠体等の図である。
【図８】隣接する枠体の形状例を示す図である。
【図９】本発明の第３の実施形態を示す中枠体等の図である。
【図１０】本発明の第３の実施形態を示す防犯スクリーン装置の斜視図である。
【図１１】本発明の第４の実施形態を示す枠体等の図である。
【図１２】本発明の第４の実施形態を示す枠体や外壁等の図である。
【発明を実施するための形態】
【００２０】
以下、図面を参照しつつ本発明に係る防犯スクリーン装置の実施形態について詳細に説明する。
【００２１】
＜第１の実施形態＞
本発明に係る防犯スクリーン装置１は、建物１０の外壁１１に設けられる開口部（一例として、浴室の窓）１２を屋外側から覆う装置である。本実施形態の防犯スクリーン装置１は、多孔質板（面材）２とこれを保持する枠体３とを備えている。
【００２２】
枠体３は、多孔質板２と開口部１２の間に介在して当該多孔質板２を開口部１２の前方に保持する部材である（図１、図２等参照）。枠体３は、外壁１１の枠体取り付け面１１ａ（例えば、開口部１２の枠（窓枠）など）に密着するように取り付けられている。本実施形態では、上下左右に配置された４つの枠体３によって矩形の多孔質板２の各辺を支えるようにしている。また、本実施形態の枠体３は、裏当て部３１とフィン３２とを備えている。枠体３の裏当て部３１は、多孔質板２の裏面の周縁部（符号２１で示す）に面接触する部位として形成されている。
【００２３】
本実施形態における枠体３は長筒状である。各枠体３の角部は隣接する枠体３と干渉しないよう斜めの切断面（例えば４５°のカット）として互いに突き合わされている（図４参照）。また、隣接する枠体３どうしを直接またはＬ字のアングル部材６等を用いて緊結されている。
【００２４】
枠体３において、外壁１１の枠体取り付け面１１ａとの接触面３６は平面状で、枠体取り付け面１１ａに隙間なく密着するようになっている（図３参照）。この枠体３を外壁１１に固定するための部材（固定部材７）は、当該枠体３の一部を支持するピース状のもの（部分的に形成されたもの）でもよいし、枠体の長尺方向に沿って延在する長尺状のものでもよい。固定部材７が、枠体３の全周を囲繞する長尺状のものであれば、建物１０の躯体（外壁１１）と当該枠体３との隙間をなくすという機能も果たしうる。固定部材７の取り付け方は特に限定されないが、外部からは取り外せないようにするといった観点からすれば建物１０の室内側から取り付けることが好ましい（図１、図２参照）。こうした場合に、固定部材７は外部から見えず、尚かつ接触できないのでその面でも防犯性は高くなる。なお、固定部材７を取り付ける際には、例えば窓枠と網戸とのが隙間を無くすための板状部分などを利用することができる。
【００２５】
枠体３のフィン３２は、裏当て部３１から立ち上がって多孔質板２の小口部（符号２２で示す）に僅かな隙間を有して対向又は当接するように形成されている。フィン３２の立上がり幅は、多孔質板２の厚さ相当程度であることが好ましい。上述の多孔質板２は、フィン３２に周囲（の小口部２２）を包囲され裏当て部３１に固着された状態で取り付けられている（図１等参照）。
【００２６】
多孔質板２は、外壁１１の開口部１２に対向する面材の一例として設けられている。多孔質板２の孔（図６等の符号２３参照）は、例示すれば直径1.5ｍｍ〜2ｍｍ程度の円形またはそれに匹敵する多角形が多数穿たれた極小のものであることが好ましい。このような孔２３によれば、蚊などの害虫が外部から侵入するのを阻止することができる。また、多孔質板２に穿たれた孔２３の開口率は、例えば40％〜60％の間であれば、当該多孔質板２の強度を保ちつつ、これら孔２３を通じての通風換気や視界も保ちやすくなるという点で好ましい。なお、当該多孔質板２において、孔２３以外に貫通孔はない。
【００２７】
また、多孔質板２の形状や材質は特に限定されないが、表面に曲げ、凹凸、起伏のないものであることが好ましい。このような多孔質板２によれば組立て前の保管が簡単であり、収納容積が減るのでコストが抑えられる。また、曲げ加工すると、曲げ箇所の塗装が剥げて補修の必要が生じうることがあるが、表面に曲げのない多孔質板２によればそのようなこともない。このような多孔質板２としては、例えば矩形のパンチングメタル等を採用することができる。パンチングメタルにより形成された多孔質板２は、その孔２３が一般には極小であることから防犯性に優れ、また、居住者等からの視界や通気性を確保しやすい。
【００２８】
本実施形態の多孔質板２は、見付け（正面）側からビス４などの締結部材によって枠体３に取り付けられている（図１、図２参照）。ビス４としては、枠体３の反対側から貫通することのない程度の長さものが用いられている。
【００２９】
なお、開口部１２の見付け（横幅）が特に長いといった場合、枠体３に中枠体３Ａを加えることができる（図２参照）。この場合には、左右ないし上下に分割された多孔質板２を用いることができる。各多孔質板２は、この中枠体３Ａに対してもビス４によって取り付けられていることが好ましい（図２参照）。このような中枠体３Ａは、建物１０の外壁１１に密着していなくてよい。中枠体３Ａは、多孔質板２の１枚のサイズが、製造上、あるいは板材の強度などといった理由により制限されて防犯スクリーン装置１の全体よりも小さいとき、継ぎ部として利用しうるものであり、便宜である。
【００３０】
本実施形態の防犯スクリーン装置１によれば、多孔質板２の周縁部２１が枠体３の裏当て部３１に固着された状態となっているので、他者による隙間へのツールの差し入れ、破壊といった迷惑行為を回避することができる。仮に、一般の面格子の場合には、ボルトクリッパにより切断される事件が発生しているが、本実施形態の防犯スクリーン装置１の場合には隙間がないのでボルトクリッパを挟みこめないので、「防犯性」が高い。要は、「防犯性」は、侵入者を防ぐばかりでなくツールの侵入（棹状のものを入れられて他の開口を開けられてしまったり、さらには危険物で外から脅されたりすることなど）や危険物の投入も防ぐことを意味すると解せられるところ、この防犯スクリーン装置１によれば種々の迷惑行為に及ばせないだけの抑止力を発揮することによって防犯性を向上させることも期待できる。
【００３１】
また、当該枠体３には多孔質板２を包囲（囲繞）し、枠体３の裏当て部３１と多孔質板２との継ぎ目（隙間）を塞ぐフィン３２が設けられていることから、当該継ぎ目へのツールの挿入が防止される。また、フィン３２と多孔質板２との間に顕在化しうる継ぎ目（隙間）についても、当該継ぎ目の深さは実質上多孔質板２の厚さ程度であり、尚かつ当該フィン３２の基端部は裏当て部３１に連結されているので、ツールの先端部の端縁部を僅かに差し入れることができたとしても、それ以上のツールの差し入れを防止することができる。このため、当該継ぎ目が顕在化するといえども、当該継ぎ目にツールを深く差し入れることはできず、これによって、充分な梃子の原理を効かせるための支点（及び作用点）を確保することができず、ツールによるこじ開けを防止することができる。また、このように梃子の原理を充分に効かせることができないので、仮にこじ開けるにしても長い時間を要することになる。
【００３２】
また、枠体３の角部どうしを突き合わせた場合、これらの間には継ぎ目部が形成されるが、本実施形態の防犯スクリーン装置１においてはフィン３２の幅が小さいことから、正面から視認できる継ぎ目部はフィン３２の幅に相当する部分のみであり、その他の継ぎ目部は多孔質板２によって覆われ見えない。このように、本実施形態ではフィン３２の幅を著しく小さくしているので、そもそもツールを入れ難く、入れたとしても梃子を効かせにくい。また、フィン３２の幅が小さいことを視認できるので、他者にとっては、継ぎ目にツールを入れようという動機を生じさせ難い。
【００３３】
さらに、本実施形態の防犯スクリーン装置１においては、多孔質板２を採用していることからこの点でも防犯性に優れ、また、蚊などの害虫の侵入防止性能にも優れる。しかも、防犯ラインは当該多孔質板２となることから、サッシやガラスに防犯性を持たせなくてもよく、施錠を忘れたり、窓を開けたまま外出したり、窓を開けたまま寝たりしても安心であり、網戸も不要である。また、猫などの屋内飼いのペットは、窓を開けていると通常の網戸を破壊したり傷つけたりする可能性があるが、多孔質板は破壊できないのでそのような心配がなく、かつ、窓を開けた通風換気状態でもペットが逃げ出す心配もない。
【００３４】
＜第２の実施形態＞
本実施形態におけるフィン３２は、立上り部３２ａと、該立上り部３２ａから折れ曲がるようにして多孔質板２の表面に向けて突出するフランジ部３２ｂを備えている（図５、図６参照）。このフィン３２は、裏当て部３１から立ち上がって多孔質板２の小口部（符号２２で示す）に僅かな隙間を有して対向又は当接するように形成されている。
【００３５】
このようにフランジ部３２ｂが裏当て部３１に対向した状態で延在することで、枠体３の見付け部（手前側）であって枠体３の裏当て部３１と表面側のフィン３２の間には、立上り部３２ａを底部とする深溝部（差込み溝）３３が形成されている。本実施形態では、該深溝部３３に多孔質板２の周縁部２１を差し入れ、当該フランジ部３２ｂと裏当て部３１とをビス（締結部材）４により締結して多孔質板２の周縁部２１を裏当て部３１に固着している。なお、フィン３２の立上がり幅は、多孔質板２の厚さ相当であることが好ましい。このようなフィン３２より、多孔質板２はその周囲を包囲された状態で裏当て部３１に固着された状態で取り付けられる。
【００３６】
本実施形態では、ビス（例えばワンウェイビスや防犯ビスなど）４で、多孔質板２の周縁部２１を裏当て部３１に緊結している。本実施形態において枠体３の裏当て部３１は面であるから、ビス４を設けやすい。また、多孔質板２の剥離防止の補助部材として両面テープ等を裏当て部３１に貼り強度を上げることもできる。なお、本実施形態のフィン３２は、枠体３の見付け部（当該部材を正面から見たときに前方に見える面）に接するように取り付けられているのであって、枠体３の見込み部（当該部材の側面、つまり奥行き方向の面）に取り付けられてはいない（図２等参照）。
【００３７】
一般に、枠体３に平板状の防犯面材が差し込まれているだけであれば、防犯面材自体に大きな力が加えられた場合、当該防犯面材が歪んで枠体３から抜けてしまうおそれがある。この点、本実施形態の防犯スクリーン装置１においては、１枚の多孔質板２の周囲は枠体３によって囲まれ、その枠体３にビス（ワンウェイビス・防犯ビスなど）４で固定されているので、多孔質板２に力が加わった際に当該多孔質板２自体は歪むかもしれないが、枠体３からは抜け出にくい。また、多孔質板２が枠体３を強度的に補強し、防犯スクリーン装置１全体の強度を増すことになる。
【００３８】
また、一般に、平板状の防犯面材を押さえる通常の枠は、平板が抜けにくくなるように差込部の奥行きが深いことが多い。ところが、このような場合、防犯面材を摩擦なく差込むために差込部の隙間の幅をある程度とらなくてはならなくなるので、当該差込部の幅と多孔質板２の残りの隙間を解消し、防犯面材がぐらつかないようにするために、ビードで固定したり、パッキンで押さえたりしなくてはならなくなる。しかし、パッキンやビードは弾性体で作られるので、そこに、ドライバーやバールなどのツールを差し込まれ、梃子の原理で枠体３より強度の劣る平板が壊されることが懸念される。この点、本実施形態の防犯スクリーン装置１においては、上述のような形状のフィン３２を備えた枠体３により、当該枠体３と多孔質板２の周縁部２１との間に隙間ができ難くなるので、パッキンなどの充填材を要しない納めとすることもできる。
【００３９】
＜第３の実施形態＞
本実施形態におけるフィン３２は、多孔質板２の厚さ相当の高さを有する立上り部３２ａと、該立上り部３２ａから多孔質板２の表面に向けて僅かに突出する鍔部３２ｃを備えている。また、本実施形態では、該鍔部３２と裏当て部３１との間に、立上り部３２ａを底部とする浅溝部３４を形成し、該浅溝部３４に多孔質板２の周縁部２１を差し入れて多孔質板２を保持している（図７、図９参照）。なお、図９は中途部に設けられる枠体３を図示している。
【００４０】
枠体３は、例えば上下左右４つの長尺上のフレーム部材を、４５°カットされた端面どうし突き合わせたり、或いは角部を形成するＬ字状の部材の両端部に上記長尺状のフレーム部材を突き合わせたりして形成されるが、場合によっては、これら突き合わせて形成される接合部間において、突き合わされるフレーム部材のフランジ部間や、フレーム部材とＬ字アングル部材間に隙間が生じ、当該隙間にツール等を入れやすいものとなるおそれがある。この点、本実施形態の防犯スクリーン装置１によれば、僅かに突出する鍔部３２ｃを設けているので、これら鍔部３２ｃ間の隙間の長さは僅かなものとなり（図８参照）、やはりツール等を差し入れ難いものとなる。また、本実施形態の防犯スクリーン装置１によれば、一見してツールを差し入れる隙間が全く見当たらないため、そもそも当該防犯スクリーン装置１を破壊しようとする動機を抑えることも可能である（図１０参照）。さらに、本実施形態では比較的小さなフィン３２を採用することで、防犯性を確保しつつ、多孔質板２の平面性が強調された意匠を構築することが可能である。
【００４１】
なお、立上り部３２ａの上端部からの鍔部３２ｃの突出量は、例えば多孔質板２の厚さ相当である。かかる鍔部３２ｃの構成によれば、浅溝部にツール等を差し入れ難く、あるいは差し入れたとしても梃子の作用を効かせ難く、さらには、フィン３２にツールからのモーメントを作用させ難く、フィン３２自体の剛性も向上する。また、パンチングメタルの孔２３と実部（孔２３以外の部分）とが連続してギザギザ状となっている場合や、施工誤差との関連から枠体３の一端から他端に向かうに連れて徐々にフィン３２の立上り部３２ａから離間して設置されている場合などにおいて、鍔部３２ｃによれば多孔質板２の周縁部２１を隠すことができるという効果がある。
【００４２】
＜第４の実施形態＞
本実施形態では、外壁１１の枠体取り付け面１１ａと枠体３との間にパッキン部材５を介在させ、当該パッキン部材５を介して枠体３を密着させるようにしている（図１１、図１２参照）。枠体３との間に隙間が出来ないように、パッキン部材５が圧着されて収縮した時の厚みを吸収できるパッキン収納溝３５を枠体３に設けておくことも好ましい。一般に、外壁１１の枠体取り付け面１１ａには多少なりとも不陸があるのに対し、本実施形態の防犯スクリーン装置１においては、弾力性があるパッキン部材５を接触面に設けることで密着度を向上させることができる。また、このようにして密着度を向上させれば、蚊などの害虫侵入防止を強化することにもつながる。さらには、枠体３を外壁１１の枠体取り付け面１１ａにパッキン部材５を介して密着させることで、外壁１１の壁面の汚れが開口部１２に向かって入ってこないという利点もある。
【００４３】
なお、上述の実施形態は本発明の好適な実施の一例ではあるがこれに限定されるものではなく本発明の要旨を逸脱しない範囲において種々変形実施可能である。例えば、集合住宅の住戸において共同廊下側の窓は、通路の直近にあり、住戸住人のプライバシーが侵害されるおそれがある。また通路からすぐ手が届いてしまうため悪戯で何かを投げ込まれてしまうかもしれない。したがってせっかくの窓であっても閉じた状態で通風換気ができない状況になることとは起こりうると考えられる。このような窓に上述の防犯スクリーン装置１を設置することで、窓が開放状態であっても防犯性が高く、かつ、多孔質板２によって中が見えにくい状態とすることができ、更に、窓底面の高さをひとの目の高さ以上にすることで覗かれないようにもすることができる。要は、上述した実施形態では建物１０の開口部１２の一例として浴室の窓を示したがこれは一例にすぎず、このほか、このように共用廊下に面した外壁に設けられた高窓など、種々の開口部１２において本発明を適用することが可能である。
【産業上の利用可能性】
【００４４】
本発明は、建物の外壁に設けられる開口部を屋外側から覆う防犯スクリーン装置に適用して好適である。
【符号の説明】
【００４５】
１…防犯スクリーン装置、２…多孔質板（面材）、３…枠体、４…ビス（締結部材）、５…パッキン部材、１０…建物、１１…外壁、１１ａ…枠体取り付け面、１２…開口部、２１…周縁部、２２…小口部、３１…裏当て部、３２…フィン、３２ａ…立上り部、３２ｂ…フランジ部、３２ｃ…鍔部、３３…深溝部、３４…浅溝部
【図１】
0005944110.tif 000002
【図２】
0005944110.tif 000003
【図３】
0005944110.tif 000004
【図４】
0005944110.tif 000005
【図５】
0005944110.tif 000006
【図６】
0005944110.tif 000007
【図７】
0005944110.tif 000008
【図８】
0005944110.tif 000009
【図９】
0005944110.tif 000010
【図１０】
0005944110.tif 000011
【図１１】
0005944110.tif 000012
【図１２】
0005944110.tif 000013